(57)【要約】【課題】本発明は、ユーザが確認を必要としない状況では、表示部への表示を停止させ、表示部での無駄な電力消費を防止することができる携帯機器および表示制御方法を提供することを課題とする。【解決手段】本体操作部１３もしくはリモコン操作部２１におけるホールドキーがＯＮ操作されると、電源回路１５から本体表示部１４およびリモコン表示部２２への電源供給を切断させるように構成することにより、ホールドキーがＯＮ操作され、操作キーがホールドされた状態をユーザが確認を必要としない状況として認識し、本体表示部１４およびリモコン表示部２２への電源供給を切断することができる。【選択図】        図１
2007328870.tif 000002
【特許請求の範囲】
【請求項１】
動作状態や操作案内を表示する表示手段を有する携帯機器であって、
複数の操作キーおよび当該操作キーの操作を無効にするホールドキーを備えている操作手段と、
前記表示手段に電源供給を行う電源供給手段と、
前記操作手段における前記ホールドキーがＯＮ操作されると、前記電源供給手段から前記表示手段への電源供給を切断させる表示制御手段とを具備することを特徴とする携帯機器。
【請求項２】
表示データを生成して前記表示手段に出力する表示データ生成手段を具備し、
前記表示制御手段は、前記操作手段における前記ホールドキーがＯＮ操作されると、前記表示データ生成手段における前記表示データの生成を停止させることを特徴とする請求項１記載の携帯機器。
【請求項３】
複数の操作キーおよび当該操作キーの操作を無効にするホールドキーを備えている操作手段と、動作状態や操作案内を表示する表示手段とを有する携帯機器における表示制御方法であって、
前記操作手段における前記ホールドキーがＯＮ操作されると、前記表示手段への電源供給を切断することを特徴とする表示制御方法。
【請求項４】
前記操作手段における前記ホールドキーがＯＮ操作されると、前記表示手段に出力する表示データの生成を停止することを特徴とする請求項３記載の表示制御方法。
【発明の詳細な説明】
【技術分野】
【０００１】
本発明は、機器を操作する操作部と、動作状態や操作案内等を表示する表示部とを有する携帯機器に関し、特に操作部の操作を無効にするホールド機能を備えた携帯機器に関する。
【背景技術】
【０００２】
携帯型のオーディオプレーヤ等の携帯機器では、小型および高機能化に伴い省電力化が課題となってきており、特に消費電力が大きい液晶ディスプレイ等の表示部における省電力化が課題となっている。
【０００３】
従来、表示内容の視認性を高めるバックライトを備えた表示部における省電力化として、バックライトの点燈／消燈を制御する制御手段と、時計機能を有するタイマー部と、バックライトの消燈を指示する消燈指示手段とを備え、制御手段により、操作部の操作がなされたときにバックライトを所定の時間点燈させ、機器側からの異常信号を受信したときにはバックライトを点燈させると共に、消燈指示手段による消燈指示があったときには、点燈させたバックライトを消燈させるように制御することが提案されている（例えば、特許文献１参照）。
【０００４】
しかしながら、従来技術では、バックライトの点燈／消燈を制御することで、一定の省電力化を実現できるものの、ユーザが確認を必要としない状況でも表示部への表示が継続して行われており、表示部で無駄な電力が消費されているという問題点があった。
【特許文献１】特開２００２−３４１８３０号公報
【発明の開示】
【発明が解決しようとする課題】
【０００５】
本発明は斯かる問題点に鑑みてなされたものであり、その目的とするところは、ユーザが確認を必要としない状況では、表示部への表示を停止させ、表示部での無駄な電力消費を防止することができる携帯機器および表示制御方法を提供する点にある。
【課題を解決するための手段】
【０００６】
本発明は上記課題を解決すべく、以下に掲げる構成とした。
本発明の携帯機器は、動作状態や操作案内を表示する表示手段を有する携帯機器であって、複数の操作キーおよび当該操作キーの操作を無効にするホールドキーを備えている操作手段と、前記表示手段に電源供給を行う電源供給手段と、前記操作手段における前記ホールドキーがＯＮ操作されると、前記電源供給手段から前記表示手段への電源供給を切断させる表示制御手段とを具備することを特徴とする。
【０００７】
さらに、本発明の携帯機器は、表示データを生成して前記表示手段に出力する表示データ生成手段を具備し、前記表示制御手段は、前記操作手段における前記ホールドキーがＯＮ操作されると、前記表示データ生成手段における前記表示データの生成を停止させることを特徴とする。
【０００８】
また、本発明の表示制御方法は、複数の操作キーおよび当該操作キーの操作を無効にするホールドキーを備えている操作手段と、動作状態や操作案内を表示する表示手段とを有する携帯機器における表示制御方法であって、前記操作手段における前記ホールドキーがＯＮ操作されると、前記表示手段への電源供給を切断することを特徴とする。
【０００９】
さらに、本発明の表示制御方法は、前記操作手段における前記ホールドキーがＯＮ操作されると、前記表示手段に出力する表示データの生成を停止することを特徴とする。
【発明の効果】
【００１０】
本発明の携帯機器および表示制御方法は、操作手段におけるホールドキーがＯＮ操作されると、電源供給手段から表示手段への電源供給を切断させるように構成することにより、ホールドキーがＯＮ操作され、操作キーがホールドされた状態をユーザが確認を必要としない状況として認識し、表示手段への電源供給を切断することができるため、ユーザが確認を必要としない状況では、表示部への表示を停止させ、表示部での無駄な電力消費を防止して省電力化を実現できるという効果を奏する。
【００１１】
本発明の携帯機器および表示制御方法は、操作手段におけるホールドキーがＯＮ操作されると、表示データ生成手段における表示データの生成を停止させるように構成することにより、ホールドキーがＯＮ操作され、操作キーがホールドされた状態をユーザが確認を必要としない状況として認識し、表示データの生成を停止することができるため、装置の負荷を低減させることができ、更なる省電力化を実現できるという効果を奏する。
【発明を実施するための最良の形態】
【００１２】
以下、本発明の実施の形態を図面に基づいて詳細に説明する。
【００１３】
図１は、本発明に係る携帯装置の実施の形態の構成を示すブロック図である。
【００１４】
本実施の形態の携帯装置は、ＭＤ（ミニディスク）等の光ディスクやメモリカード等の記録媒体に記録されたオーディオ信号を再生するオーディオプレーヤであり、図１を参照すると、本体装置１と、本体装置１を遠隔操作するリモコン装置２とで構成され、本体装置１は、記録部１１と、信号処理部１２と、本体操作部１３と、本体表示部１４と、電源回路１５と、制御部１６とからなり、リモコン装置２は、リモコン操作部２１と、リモコン表示部２２とからなる。
【００１５】
記録部１１は、オーディオ信号が記録された光ディスクや記録媒体にアクセスし、記録媒体からのオーディオ信号の読み出しを行う媒体アクセス手段であり、記録媒体から読み出したオーディオ信号を信号処理部１２に出力する。
【００１６】
信号処理部１２は、記録部１１から入力されたオーディオ信号を復調し、さらに誤り訂正等の信号処理を行ってヘッドホン３から音声出力する。
【００１７】
本体操作部１３およびリモコン操作部２１は、電源投入および切断の指示や、記録媒体に記録されているオーディオ信号の再生指示を行うための複数の操作キーを備えていると共に、当該操作キーの操作を無効にするホールドキーを備えている。なお、本実施の形態では、本体装置１およびリモコン装置２にそれぞれ本体操作部１３およびリモコン操作部２１をそれぞれ設けるように構成したが、本体装置１もしくはリモコン装置２のいずれか一方のみに本体操作部１３もしくはリモコン操作部２１を設けるようにしても良い。
【００１８】
本体表示部１４およびリモコン表示部２２は、再生している情報（楽曲等）に関する書誌データ（曲名、アーティスト名等）の表示や装置の状態を示す各種案内の表示が行われる液晶ディスプレイ等の表示手段である。なお、本実施の形態では、本体装置１およびリモコン装置２にそれぞれ本体表示部１４およびリモコン表示部２２をそれぞれ設けるように構成したが、本体装置１もしくはリモコン装置２のいずれか一方のみに本体表示部１４もしくはリモコン表示部２２を設けるようにしても良い。
【００１９】
電源回路１５は、本体表示部１４およびリモコン表示部２２に電源供給を行う電源供給手段であり、本体表示部１４およびリモコン表示部２２への電源供給および停止が制御部１６によって制御される。
【００２０】
制御部１６は、本体操作部１３もしくはリモコン操作部２１の操作キーの操作を電圧値で認識し、認識した操作キーの操作に基づいて信号処理部１２を制御することで、記録媒体からの音声データの再生を行うと共に、表示データ信号、クロック信号、ストローブ信号を生成して本体表示部１４およびリモコン表示部２２に出力する。また、制御部１６は、本体操作部１３もしくはリモコン操作部２１のホールドキーの操作を電圧値で認識し、認識したホールドキーの操作に基づいて、本体操作部１３もしくはリモコン操作部２１の操作キーの操作を無効にすると共に、電源回路１５を制御することで、本体表示部１４およびリモコン表示部２２への電源供給を停止させる。
【００２１】
次に、本実施の形態の動作について図２を参照して詳細に説明する。
図２は、本発明に係る携帯装置の実施の形態におけるホールド状態の表示制御動作を説明するためのフローチャートである。
【００２２】
本体操作部１３もしくはリモコン操作部２１のホールドキーを操作することで、操作キーの操作を無効にすることができるようになっている。制御部１６は、本体操作部１３もしくはリモコン操作部２１におけるホールドキーの操作を監視しており（ステップＡ１）、本体操作部１３もしくはリモコン操作部２１のホールドキーが操作されると、ホールドキーの操作がＯＮ操作であるか否かを判断する（ステップＡ２）。
【００２３】
ステップＡ２でホールドキーの操作がＯＮ操作である場合には、制御部１６は、本体操作部１３およびリモコン操作部２１における操作キーの操作を無効化し（ステップＡ３）、操作を受け付けないホールド状態に移行すると共に、本体表示部１４およびリモコン表示部２２に出力する表示データ信号、クロック信号、ストローブ信号の生成を停止し（ステップＡ４）、さらに、電源回路１５に電源供給停止信号を出力することで、電源回路１５から本体表示部１４およびリモコン表示部２２への電源供給を切断させ（ステップＡ５）、ステップＡ１に戻る。
【００２４】
ステップＡ２でホールドキーの操作がＯＮ操作でなく、ＯＦＦ操作である場合には、制御部１６は、本体操作部１３およびリモコン操作部２１における操作キーの操作を有効化し（ステップＡ６）、操作を受け付ける通常状態に移行すると共に、本体表示部１４およびリモコン表示部２２に出力する表示データ信号、クロック信号、ストローブ信号の生成を開始し（ステップＡ７）、さらに、電源回路１５に電源供給開始信号を出力することで、電源回路１５から本体表示部１４およびリモコン表示部２２への電源供給を開始させ（ステップＡ８）、ステップＡ１に戻る。
【００２５】
以上説明したように、本実施の形態によれば、本体操作部１３もしくはリモコン操作部２１におけるホールドキーがＯＮ操作されると、電源回路１５から本体表示部１４およびリモコン表示部２２への電源供給を切断させるように構成することにより、ホールドキーがＯＮ操作され、操作キーがホールドされた状態をユーザが確認を必要としない状況として認識し、本体表示部１４およびリモコン表示部２２への電源供給を切断することができるため、ユーザが確認を必要としない状況では、本体表示部１４およびリモコン表示部２２への表示を停止させ、本体表示部１４およびリモコン表示部２２での無駄な電力消費を防止して省電力化を実現できるという効果を奏する。
【００２６】
本発明の携帯機器および表示制御方法は、操作手段におけるホールドキーがＯＮ操作されると、制御部１６における表示データの生成を停止させるように構成することにより、ホールドキーがＯＮ操作され、操作キーがホールドされた状態をユーザが確認を必要としない状況として認識し、表示データの生成を停止することができるため、装置の負荷を低減させることができ、更なる省電力化を実現できるという効果を奏する。
【００２７】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００２８】
【図１】本発明に係る携帯装置の実施の形態の構成を示すブロック図である。
【図２】本発明に係る携帯装置の実施の形態におけるホールド状態の表示制御動作を説明するためのフローチャートである。
【符号の説明】
【００２９】
１  本体装置
２  リモコン装置
３  ヘッドホン
１１  記録部
１２  信号処理部
１３  本体操作部
１４  本体表示部
１５  電源回路
１６  制御部（表示制御手段、表示データ生成手段）
２１  リモコン操作部
２２  リモコン表示部
【図１】
2007328870.tif 000003
【図２】
2007328870.tif 000004